(57)【要約】【課題】端子金具の係止力が低下することを防止することができる端子金具の係止構造、バルブソケット、および照明装置を提供すること。【解決手段】端子金具１０と、該端子金具１０を内部に保持収容する端子保持収容部３０と、を有し、前記端子金具１０の係止突起部１５によって該端子金具１０を前記端子保持収容部３０内に係止する端子金具の係止構造１であって、前記端子保持収容部３０は、前記端子金具１０を係止位置まで前記係止突起部１５と前記端子保持収容部３０の内壁面３１ａとの間に隙間を形成しつつ誘導するガイド空間３２を有し、当該端子金具の係止構造１は、前記端子金具１０が前記端子保持収容部３０から離脱する方向に移動した場合、前記係止突起部１５が当接して離脱を阻止する規制壁５１を有し、かつ前記端子保持収容部３０とは別体で該端子保持収容部３０に取り付ける規制部材５０を有する。【選択図】図１
2015115163.tif 000002
【特許請求の範囲】
【請求項１】
端子金具と、該端子金具を内部に保持収容する端子保持収容部と、を有し、前記端子金具の係止突起部によって該端子金具を前記端子保持収容部内に係止する端子金具の係止構造であって、
前記端子保持収容部は、
前記端子金具を係止位置まで前記係止突起部と前記端子保持収容部の内壁面との間に隙間を形成しつつ誘導するガイド空間を有し、
当該端子金具の係止構造は、
前記端子金具が前記端子保持収容部から離脱する方向に移動した場合、前記係止突起部が当接して離脱を阻止する規制壁を有し、かつ前記端子保持収容部とは別体で該端子保持収容部に取り付ける規制部材
を有することを特徴とする端子金具の係止構造。
【請求項２】
前記端子金具は、
前記端子保持収容部によって保持する部分となる圧入部を有し、
前記端子保持収容部は、
前記圧入部を圧入することによって前記端子金具を係止位置で保持する端子圧入保持部を有する
ことを特徴とする請求項１に記載の端子金具の係止構造。
【請求項３】
光源となるバルブに給電するバルブソケットであって、
請求項１または２に記載の端子金具の係止構造を組み込み、
前記端子金具は、
前記バルブに接続する端子部を有し、
前記端子保持収容部は、
当該バルブソケットの本体を構成するソケット本体に設ける
ことを特徴とするバルブソケット。
【請求項４】
光源となるバルブと、該バルブの光を装置外部に透過する透過レンズと、前記透過レンズ以外からの光漏れを防止するための光漏れ防止カバーと、を有する照明装置であって、
請求項３に記載のバルブソケットを組み込む
ことを特徴とする照明装置。
【請求項５】
前記ソケット本体は、
前記光漏れ防止カバーを係止するカバー係止部を有し、
前記光漏れ防止カバーは、
前記カバー係止部を支持するようにして係止する被係止部を有し、
前記規制部材は、
前記規制壁が係止位置の前記端子金具と前記カバー係止部との間、かつ、前記係止突起部よりも前記端子金具の離脱方向側に位置するように前記端子保持収容部に取り付ける
ことを特徴とする請求項４に記載の照明装置。
【請求項６】
前記規制部材は、
前記光漏れ防止カバーに一体的に設ける
ことを特徴とする請求項４または５に記載の照明装置。
【発明の詳細な説明】
【技術分野】
【０００１】
本発明は、端子金具の係止突起部によって端子金具を端子保持収容部内に係止する端子金具の係止構造、バルブソケットおよび照明装置に関する。
【背景技術】
【０００２】
従来、端子金具をコネクタあるいはバルブソケット等の端子保持収容部によって保持する端子金具の係止構造として、例えば、特許文献１には、端子金具の一部を切り起こして形成した係止片（係止突起部）によって端子金具をソケット本体に設けた端子保持収容部内に係止するバルブソケットが記載されている。
【先行技術文献】
【特許文献】
【０００３】
【特許文献１】特開２０１３−１５２８９８号公報
【発明の概要】
【発明が解決しようとする課題】
【０００４】
しかしながら、特許文献１に記載された端子金具の係止構造は、係止片（係止突起部）を端子保持収容部に設けた突起部に係止するため、係止片（係止突起部）が係止位置に向けて移動する際、突起部をのり越えるために突出方向とは逆方向に大きく弾性変形する必要があり、突出方向に復元するための弾性力が低下し、結果的に係止力が低下してしまうおそれがあった。  
【０００５】
本発明は、上記に鑑みてなされたものであって、端子金具の係止力が低下することを防止することができる端子金具の係止構造、バルブソケット、および照明装置を提供することを目的とする。
【課題を解決するための手段】
【０００６】
上述した課題を解決し、目的を達成するために、本発明の請求項１に係る端子金具の係止構造は、端子金具と、該端子金具を内部に収容保持する端子保持収容部と、を有し、前記端子金具の係止突起部によって該端子金具を前記端子保持収容部内に係止する端子金具の係止構造であって、前記端子保持収容部は、前記端子金具を係止位置まで前記係止突起部と前記端子保持収容部の内壁面との間に隙間を形成しつつ誘導するガイド空間を有し、当該端子金具の係止構造は、前記端子金具が前記端子保持収容部から離脱する方向に移動した場合、前記係止突起部が当接して離脱を阻止する規制壁を有し、かつ前記端子保持収容部とは別体で該端子保持収容部に取り付ける規制部材を有することを特徴とする。
【０００７】
また、本発明の請求項２に係る端子金具の係止構造は、上記の発明において、前記端子金具は、前記端子保持収容部によって保持する部分となる圧入部を有し、前記端子保持収容部は、前記圧入部を圧入することによって前記端子金具を係止位置で保持する端子圧入保持部を有することを特徴とする。
【０００８】
上述した課題を解決し、目的を達成するために、本発明の請求項３に係るバルブソケットは、光源となるバルブに給電するバルブソケットであって、請求項１または２に記載の端子金具の係止構造を組み込み、前記端子金具は、前記バルブに接続する端子部を有し、前記端子保持収容部は、当該バルブソケットの本体を構成するソケット本体であることを特徴とする。
【０００９】
上述した課題を解決し、目的を達成するために、本発明の請求項４に係る照明装置は、光源となるバルブと、該バルブの光を装置外部に透過する透過レンズと、前記透過レンズ以外からの光漏れを防止するための光漏れ防止カバーと、を有する照明装置であって、請求項３に記載のバルブソケットを組み込むことを特徴とする。
【００１０】
また、本発明の請求項５に係る照明装置は、上記の発明において、前記ソケット本体は、前記光漏れ防止カバーを係止するカバー係止部を有し、前記光漏れ防止カバーは、前記カバー係止部を支持するようにして係止する被係止部を有し、前記規制部材は、前記規制壁が係止位置の前記端子金具と前記カバー係止部との間、かつ、前記係止突起部よりも前記端子金具の離脱方向側に位置するように前記端子保持収容部に取り付けることを特徴とする。
【００１１】
また、本発明の請求項６に係る照明装置は、上記の発明において、前記規制部材は、前記光漏れ防止カバーに一体的に設けることを特徴とする。
【発明の効果】
【００１２】
本発明の請求項１に係る端子金具の係止構造は、前記ガイド空間を利用して前記係止突起部が前記端子保持収容部の内壁面に接触することを回避しながら前記端子金具を係止位置まで移動することによって、前記係止突起部の変形を防ぎ、かつ、前記規制部材が前記端子金具の離脱を阻止することによって高い係止力を得ることができるので、端子金具の係止力が低下することを防止することができる。
【００１３】
本発明の請求項２に係る端子金具の係止構造は、前記端子金具の前記圧入部を前記端子圧入保持部に圧入することによって前記端子金具を係止位置に保持することができるので、組み付け作業が容易になる。
【００１４】
本発明の請求項３に係るバルブソケットは、請求項１または２に記載の端子金具の保持構造を組み込んでいるので、前記ガイド空間を利用して前記係止突起部が前記端子保持収容部の内壁面に接触することを回避しながら前記端子金具を係止位置まで移動することによって、前記係止突起部の変形を防ぎ、かつ、前記規制部材が前記端子金具の離脱を阻止することによって高い係止力を得ることができるので、端子金具の係止力が低下することを防止することができる。
【００１５】
本発明の請求項４に係る照明装置は、請求項３に記載のバルブソケットを組み込んでいるので、前記バルブソケットと同様に、端子金具の係止力が低下することを防止することができる。
【００１６】
本発明の請求項５に係る照明装置は、前記光漏れ防止カバーの前記被係止部が係止することによって強度を増した前記カバー係止部の内壁面が前記規制壁の撓み、あるいは位置ズレを防止するので、端子金具の係止力をより高めることができる。
【００１７】
本発明の請求項６に係る照明装置は、前記規制部材を前記光漏れ防止カバーに一体的に設けるので、部品点数を削減することができ、結果的に、組み付け作業を容易にすることができる。
【図面の簡単な説明】
【００１８】
【図１】図１は、本発明の実施例１に係る照明装置の分解斜視図である。
【図２】図２は、図（ａ）が照明装置を透過レンズ側から斜視図であり、図（ｂ）が照明装置を光漏れ防止カバー側から斜視図である。
【図３】図３は、透過レンズを取り付ける前の照明装置を光漏れ防止カバー側から視た斜視図である。
【図４】図４は、図３に示す照明装置の光漏れ防止カバー側から視た正面図である。
【図５】図５は、図（ａ）が、図４に示す照明装置のＡ−Ａ線断面図であり、図（ｂ）が図（ａ）の規制壁周辺を拡大した図である。
【図６】図６は、図４に示す照明装置を矢印方向から視た図である。
【図７】図７は、図（ａ）が図６に示す照明装置のＢ−Ｂ線断面図であり、図（ｂ）が（ａ）の規制壁周辺を拡大した図である。
【図８】図８は、ソケット本体を挿入孔の開口側から視た正面図である。
【図９】図９は、図（ａ）が図８に示すソケット本体のＣ−Ｃ線断面図であり、図（ｂ）が図（ａ）の端子圧入保持部周辺を拡大した図である。
【図１０】図１０は、ソケット本体の斜視図である。
【図１１】図１１は、端子金具を取り付けたソケット本体を挿入孔の開口側から視た拡大図である。
【図１２】図１２は、端子金具の斜視図である。
【図１３】図１３は、図（ａ）が一対の端子金具の断面図であり、図（ｂ）が図（ａ）の係止突起部周辺を拡大した図である。
【図１４】図１４は、一対の端子金具をソケット本体の各端子保持収容部に挿入する前の状態を示す図である。
【図１５】図１５は、図（ａ）が一対の端子金具が係止位置に到達する前の状態を示す図であり、図（ｂ）が図（ａ）の端子圧入保持部周辺を拡大した図である。
【図１６】図１６は、図（ａ）が端子金具を配置した状態を示す図であり、図（ｂ）が図（ａ）の端子圧入保持部周辺を拡大した図である。
【図１７】図１７は、規制部材をソケット本体に取り付ける前の状態を示す図である。
【図１８】図１８は、図（ａ）が規制部材をソケット本体に取り付けた状態を示す図であり、図（ｂ）が図（ａ）規制壁周辺を拡大した図である。
【図１９】図１９は、図（ａ）が図１８のＤ−Ｄ線断面図であり、図（ｂ）が図（ａ）の端子圧入保持部周辺を拡大した図である。
【図２０】図２０は、図（ａ）が光漏れ防止カバーおよびバルブをソケット本体に取り付ける前の状態を示し、図（ｂ）が光漏れ防止カバーおよびバルブをソケット本体に取り付けた状態を示す図である。
【図２１】図２１は、本発明の実施例２に係る照明装置の分解斜視図である。
【図２２】図２２は、図（ａ）が図２１に示す照明装置に透過レンズを取り付ける前の状態を光漏れ防止カバー側から視た正面図であり、図（ｂ）が図（ａ）を矢印方向から視た図である。
【図２３】図２３は、図（ａ）が図２２に示す照明装置のＥ−Ｅ線断面図であり、図（ｂ）が図（ａ）の規制壁周辺を拡大した図である。
【図２４】図２４は、図（ａ）が図２２に示す照明装置のＦ−Ｆ線断面図であり、図（ｂ）が図（ａ）の規制壁周辺を拡大した図である。
【図２５】図２５は、図（ａ）が図２１に示す光漏れ防止カバーの上面図であり、図（ｂ）が図（ａ）に示す光漏れ防止カバーのＧ−Ｇ線断面図である。
【発明を実施するための形態】
【００１９】
以下、図面を参照して、本発明に係る端子金具の係止構造、バルブソケットおよび照明装置の好適な実施例を詳細に説明する。
【実施例１】
【００２０】
図１は、本発明の実施例１に係る照明装置２００の分解斜視図である。図２は、図（ａ）が照明装置２００を透過レンズ６０側から斜視図であり、図（ｂ）が照明装置２００を光漏れ防止カバー７０側から斜視図である。図３は、透過レンズ６０を取り付ける前の照明装置２００を光漏れ防止カバー７０側から視た斜視図である。図４は、図３に示す照明装置の光漏れ防止カバー７０側から視た正面図である。図５は、図（ａ）が、図４に示す照明装置２００のＡ−Ａ線断面図であり、図（ｂ）が図（ａ）の規制壁５１周辺を拡大した図である。図６は、図４に示す照明装置２００を矢印方向から視た図である。図７は、図（ａ）が図６に示す照明装置２００のＢ−Ｂ線断面図であり、図（ｂ）が（ａ）の規制壁５１周辺を拡大した図である。図８は、ソケット本体２０を挿入孔２１の開口２１ａ側から視た正面図である。図９は、図（ａ）が図８に示すソケット本体２０のＣ−Ｃ線断面図であり、図（ｂ）が図（ａ）の端子圧入保持部３３周辺を拡大した図である。図１０は、ソケット本体２０の斜視図である。図１１は、端子金具１０を取り付けたソケット本体２０を挿入孔２１の開口２１ａ側から視た拡大図である。図１２は、端子金具１０の斜視図である。図１３は、図（ａ）が一対の端子金具１０の断面図であり、図（ｂ）が図（ａ）の係止突起部１５周辺を拡大した図である。
本発明の実施例１に係る照明装置２００は、例えば、自動車等に設置する室内照明装置である。この照明装置２００は、光源となるバルブ８０と、バルブソケット１００と、バルブ８０の光を装置外部に透過する透過レンズ６０と、透過レンズ６０以外からの光漏れを防止するための光漏れ防止カバー７０と、を有する。
【００２１】
まず、バルブ８０について説明する。
バルブ８０は、いわゆるウェッジベース型バルブによって実現し、図１に示すように、円柱状ガラス部材の内部に不図示のフィラメントを有する発光部８１と、陽極、および陰極の一対の不図示の端子を設けた電極部８２と、を有する。
【００２２】
次に、バルブソケット１００について説明する。
バルブソケット１００は、端子金具の係止構造１を組み込んでバルブ８０に給電するものである。
端子金具の係止構造１は、バルブ８０に接続する一対の端子金具１０、１０と、一対の端子金具１０、１０を保持収容する端子保持収容部３０を設けたソケット本体２０と、規制部材５０と、を有する。
【００２３】
一対の端子金具１０、１０は、いわゆるバスバーであり、導電性金属板を打ち抜き加工、および曲げ加工を施すことによって形成する。この一対の端子金具１０、１０は、図１３に示すように、互いに左右反転した状態で対向配置してソケット本体２０に取り付ける。
端子金具１０は、ソケット本体２０に固定するとともに不図示の電線に接続する固定部１１と、この固定部１１から延びる延長部１２と、この延長部１２の先端部で幅を拡大するように設けた圧入部１３と、延長部１２の途中から折れ曲がって連接する一対の端子部１４、１４と、延長部１２の一部を爪状に切り起こした係止突起部１５と、を有する。
【００２４】
固定部１１は、図１２の上下方向を長手方向とする板状に形成する。この固定部１１は、端子保持収容部３０内の奥側位置に配置する。
【００２５】
延長部１２は、固定部１１からクランク状に折れ曲がって挿入孔２１の開口２１ａ側に向けて延在する部分である。
【００２６】
圧入部１３は、端子保持収容部３０によって保持する部分である。この圧入部１３は、延長部１２の先端両側から延長部１２に対して直交する方向に延びた部分であり、圧入部１３と延長部１２とでＴ字形状を形成するようになっている。
このため、圧入部１３と係止突起部１５とは端子保持収容部３０内への挿入方向に沿って並ばないようになっている。
また、圧入部１３は、係止突起部１５とは逆側の面に突設した位置決め突起１３ａを有し、端子金具１０を係止位置に位置決めしつつ保持するように、後述する端子圧入保持部３３に圧入する部分である。
【００２７】
一対の端子部１４、１４の各端子部１４は、延長部１２に対して折れ曲がった位置から挿入孔２１の開口２１ａ側に向けて片持ち片状に延びたばね部１４ａと、このばね部１４ａの先端に曲面状に曲げて形成した接点部１４ｂと、を有する。
このような端子部１４は、挿入孔２１に挿入したバルブ８０の電極部８２を挟持することによって電極部８２に設けた不図示の電極に電気的に接続する。
【００２８】
次に、ソケット本体２０について説明する。
ソケット本体２０は、バルブソケット１００の本体を構成する部分である。このソケット本体２０は、合成樹脂等の絶縁材からなり、全体的な形状として筒状をなしている。
ソケット本体２０の内部には、光漏れ防止カバー７０を通して不図示の電線を配索し、この電線が各端子金具１０に接続することによってバルブ８０に電力を供給するようになっている。
【００２９】
このソケット本体２０は、バルブ８０の電極部８２を受け入れる挿入孔２１と、挿入孔２１に連続する空間を形成することによって一対の端子金具１０、１０を保持収容する一対の端子保持収容部３０、３０と、規制部材５０を保持する規制部材保持部４０と、光漏れ防止カバー７０を係止するカバー係止部２３と、透過レンズ６０に係合するレンズ係合部２４と、を有する。
【００３０】
各端子保持収容部３０は、端子金具１０を係止突起部１５による係止位置まで係止突起部１５と端子保持収容部３０の内壁面３１ａとの間に隙間を形成しつつ誘導するガイド空間３２と、端子金具１０の圧入部１３を圧入することによって端子金具１０を係止位置で保持する端子圧入保持部３３と、を有する。
【００３１】
ガイド空間３２は、挿入孔２１と連続する空間であり、端子金具１０を端子保持収容部３０内に挿入する際、係止突起部１５の突出方向で係止突起部１５に向かい合う端子保持収容部３０の内壁面３１ａが係止突起部１５と接触しないようになっている。
【００３２】
また、図９に示すように、ガイド空間３２の開口端部側には、端子金具１０と端子保持収容部３０の内壁面３１ａとの隙間の幅を拡大し、規制部材５０の規制壁５１を挿入することができる拡大隙間空間３２ａを形成している。
この拡大隙間空間３２ａは、端子金具１０の側端部周辺が露出するように挿入孔２１の開口２１ａから内方に向けて切り込んだ切り込み開口３２ｂを端子保持収容部３０の壁３０ａに形成し、この切り込み開口３２ｂを覆うように端部に向けて迫出すカバー係止部２３を設けることによって形成する。
このため、規制部材５０をソケット本体２０に取り付ける前には、すなわち、規制部材５０を端子保持収容部３０に取り付ける前には、係止突起部１５は端子保持収容部３０に引っ掛かる部分がないため係止していない状態である。
すなわち、端子金具１０は、圧入部１３による保持力で端子保持収容部３０内に保持している状態である。
【００３３】
端子圧入保持部３３は、それぞれの端子金具１０の圧入部１３を圧入して保持するように各端子保持収容部３０に設ける。
この端子圧入保持部３３は、端子金具１０の一対の圧入部１３、１３を圧入する一対の圧入溝部３４、３４を挿入孔２１の上部および下部に設ける。
各圧入溝部３４は、挿入孔２１の開口２１ａ側端部から内方に向けて延びる圧入溝３４ａを有する。
上部および下部に設けた一対の圧入溝部３４、３４は、係止突起部１５に干渉しないように溝深さを調整する。より具体的には、溝深さを圧入部１３の幅と略等しくなるように調整する。
【００３４】
規制部材保持部４０は、規制部材５０を保持する部分である。この規制部材保持部４０は、規制部材５０の後述する連結部５２を間に配置することによって規制部材５０を所定位置に保持する一対の対向壁４１、４１（図１０参照）からなる。
この一対の対向壁４１、４１は、挿入孔２１の開口側端部上面で互いに向かい合うように立設してなる。一対の対向壁４１、４１の間に連結部５２を配置すると、各規制壁５１が端子金具１０とカバー係止部２３との間、かつ係止突起部１５よりも端子金具１０の離脱方向側に位置するようになっている。
【００３５】
カバー係止部２３は、切り込み開口３１ｂ周辺のソケット本体２０の両側部に設け、切り込み開口３１ｂを外側から覆うように端部に向けて迫出している。
カバー係止部２３は、両側部を光漏れ防止カバー７０の取り付けのためのスライド移動方向に沿って直線状に延びるように突出した一対の突出ガイド側縁部２３ａ、２３ａを有し、一対の突出ガイド側縁部２３ａ、２３ａを光漏れ防止カバー７０の後述する被係止部７４の一対のガイド溝部７４ａ、７４ａに対してスライド移動しながら嵌め合わせることによって、被係止部７４と係止する。
【００３６】
次に、規制部材５０について説明する。
規制部材５０は、端子金具１０が端子保持収容部３０から離脱する方向に移動した場合、係止突起部１５が当接して離脱を阻止する規制壁５１を有し、かつ端子保持収容部３０とは別体で端子保持収容部３０に取り付ける部材である。
この規制部材５０は、合成樹脂等の絶縁材からなり、ソケット本体２０の端部上面から端部側面に沿って取り付け可能に略門状に形成し、一対の規制壁５１、５１と、一対の規制壁５１、５１を上部で連結する連結部５２と、を有する。
【００３７】
規制壁５１は、係止位置における端子金具１０とカバー係止部２３との間の隙間空間の幅よりも僅かに小さい幅に調整する。
【００３８】
このような規制部材５０は、規制壁５１が係止位置の端子金具１０とカバー係止部２３との間、かつ、係止突起部１５よりも端子金具１０の離脱方向側に位置するように端子保持収容部３０に取り付ける。
このため、端子金具１０が端子保持収容部３０から離脱する方向に移動した場合、係止突起部１５が規制壁５１に当接して端子金具１０の離脱を阻止することによって、規制壁５１が係止突起部１５を高い係止力で係止するようになっている。
【００３９】
なお、係止突起部の突出高さ、すなわち、爪状部分の切り起こし高さを調整することによって係止力を調整することができる。このため、所望の係止力に容易に調整することができる。
【００４０】
透過レンズ６０は、光透過性の樹脂材からなり、曲面板状に形成されたレンズ本体６１と、このレンズ本体６１の内面に突設した第一取付部６２と、第二取付部６３と、を有する。
第一取付部６２は、ソケット本体２０の挿入孔２１の開口２１ａとは逆側の端部に沿って外方に突出する係止片６２ａと、ソケット本体２０のレンズ係合部２４に係合可能な一対の第一係合部６２ｂと、を有する。
第二取付部６３は、図示しない車両の内装材に係合可能なロック部６３ａと、光漏れ防止カバー７０のレンズ係合部２４に係合可能な一対の第二係合部６３ｂと、を有する。
【００４１】
光漏れ防止カバー７０は、合成樹脂等の絶縁材からなり、全体的な形状が略半円筒状のカバー本体部７１と、このカバー本体部７１の一端部に形成し、ソケット本体２０に取り付けたバルブ８０の発光部８１を覆う端面部７２と、この端面部７２よりも突出して形成した一対のフランジ部７３、７３と、を有する。
【００４２】
カバー本体部７１は、発光部８１から照射した光を透過レンズ６０に向かって反射する不図示の反射面を内面に形成し、光を透過レンズ６０から外部に効率よく照射できるようになっている。
【００４３】
また、カバー本体部７１は、ソケット本体２０の一対のカバー係止部２３に係止する一対の被係止部７４、７４を有する。
各被係止部７４は、カバー係止部２３の一対の突出ガイド側縁部２３ａ、２３ａと嵌め合わす一対のガイド溝部７４ａ、７４ａを有し、図１の上方から下方に向かって光漏れ防止カバー７０をソケット本体２０に向かって押し付け、対応するガイド溝部７４ａと突出ガイド側縁部２３ａとを嵌め合わせる。
このようにしてカバー係止部２３に被係止部７４を係止することによって、被係止部７４がカバー係止部２３の両側部を囲うように配置する。すなわち、被係止部７４がカバー係止部２３を支持するようにしてカバー係止部２３に係止する。
これにより光漏れ防止カバー７０の被係止部７４が係止することによって強度を増したカバー係止部２３の内壁面２３ｂが、規制壁５１の撓み、あるいは位置ズレを防止するので、規制壁５１が係止突起部１５をより高い係止力で係止することができる。
なお、カバー係止部２３の内壁面２３ｂは端子保持収容部３０の内壁面３１ａの一部である。
【００４４】
各フランジ部７３は、透過レンズ６０に係合するレンズ係合部７３ａを有する。このレンズ係合部７３ａは、スライド移動することによって透過レンズ６０の各第二係合部６３ｂに係合する。
【００４５】
ここで、図１４−図２０を用いて本発明の実施例１に係る照明装置の組み付け手順および各部の作用について説明する。
図１４は、一対の端子金具をソケット本体の各端子保持収容部に挿入する前の状態を示す図である。図１５は、図（ａ）が一対の端子金具が係止位置に到達する前の状態を示す図であり、図（ｂ）が図（ａ）の端子圧入保持部周辺を拡大した図である。図１６は、図（ａ）が端子金具を配置した状態を示す図であり、図（ｂ）が図（ａ）の端子圧入保持部周辺を拡大した図である。図１７は、規制部材をソケット本体に取り付ける前の状態を示す図である。図１８は、図（ａ）が規制部材をソケット本体に取り付けた状態を示す図であり、図（ｂ）が図（ａ）規制壁周辺を拡大した図である。図１９は、図（ａ）が図１８のＤ−Ｄ線断面図であり、図（ｂ）が図（ａ）の端子圧入保持部周辺を拡大した図である。図２０は、図（ａ）が光漏れ防止カバーおよびバルブをソケット本体に取り付ける前の状態を示し、図（ｂ）が光漏れ防止カバーおよびバルブをソケット本体に取り付けた状態を示す図である。
【００４６】
まず、作業者は、一対の端子金具１０、１０をソケット本体２０の各端子保持収容部３０に挿入する（図１４−図１６参照）。
ここで、端子金具１０が係止位置に到達するまでの挿入途中では、図１５に示すように、端子金具１０の係止突起部１５がガイド空間３２を利用して、端子保持収容部３０の内壁面３１ａとの接触を回避しながら係止位置まで移動することができる。
端子金具１０が係止位置に到達すると、圧入部１３が端子圧入保持部３３の圧入溝３４ａ内に圧入し、端子金具１０の位置決め突起１３ａによって端子保持収容部３０内の係止位置に保持される。
なお、端子金具１０は、端子圧入保持部３３によって係止位置に保持されるものの、まだ係止突起部１５によって係止していない。すなわち、端子金具１０は仮係保持状態であるため、端子保持収容部３０から離脱する方向に大きな力が負荷された場合、端子保持収容部３０から離脱する。
【００４７】
その後、作業者は、規制部材５０を端子保持収容部３０に取り付ける（図１７−図１９参照）。すなわち、作業者は、図１７に示すように、ソケット本体２０の上方から規制部材５０の連結部５２を規制部材保持部４０の一対の対向壁４１、４１の間に押し込む。
これにより、各規制壁５１が係止位置の端子金具１０とカバー係止部２３との間、かつ、端子金具１０の離脱方向側に位置し、端子金具１０が端子保持収容部３０から離脱する方向に移動した場合、係止突起部１５が規制壁５１に当接して離脱を阻止する。
【００４８】
その後、作業者は、バルブ８０をソケット本体２０に取り付け、さらに光漏れ防止カバー７０をソケット本体２０に取り付ける（図２０参照）。ここで、光漏れ防止カバー７０の一対の被係止部７４、７４とソケット本体２０の一対のカバー係止部２３、２３とを係止する。これにより、各カバー係止部２３は各被係止部７４によって両側部を支持される。
【００４９】
最後に、作業者は透過レンズ６０をバルブソケット１００と光漏れ防止カバー７０との組立体に取り付ける。
ここで、作業者は、バルブソケット１００と光漏れ防止カバー７０との組立体を透過レンズ６０に対してスライド移動することによって光漏れ防止カバー７０の一対のレンズ係合部７３ａ、７３ａと、透過レンズ６０の一対の第二係合部６３ｂ、６３ｂとを係合するとともに、ソケット本体２０の一対のレンズ係合部２４、２４と、透過レンズ６０の一対の第一係合部６２ｂ、６２ｂとを係合する。
【００５０】
本発明の実施例１に係る端子金具の係止構造１は、ガイド空間３２を利用して係止突起部１５が端子保持収容部３０の内壁面３１ａに接触することを回避しながら端子金具１０を係止位置まで移動することによって、係止突起部１５の変形を防ぎ、かつ、規制部材５０が端子金具１０の離脱を阻止することによって高い係止力を得ることができるので、端子金具１０の係止力が低下することを防止することができる。
【００５１】
また、本発明の実施例１に係る端子金具の係止構造１は、端子金具１０の圧入部１３を端子圧入保持部３３に圧入することによって端子金具１０を係止位置に保持することができるので、組み付け作業が容易になる。
【００５２】
また、本発明の実施例１に係るバルブソケット１００は、端子金具の保持構造１を組み込んでいるので、ガイド空間３２を利用して係止突起部１５が端子保持収容部３０の内壁面３１ａに接触することを回避しながら端子金具１０を係止位置まで移動することによって、係止突起部１５の変形を防ぎ、かつ、規制部材５０が端子金具１０の離脱を阻止することによって高い係止力を得ることができるので、端子金具１０の係止力が低下することを防止することができる。
【００５３】
また、本発明の実施例１に係る照明装置２００は、バルブソケット１００を組み込んでいるので、バルブソケット１００と同様に、端子金具１０の係止力が低下することを防止することができる。
【００５４】
また、本発明の実施例１に係る照明装置２００は、光漏れ防止カバー７０の被係止部７４が係止することによって強度を増したカバー係止部２３の内壁面２３ｂが規制壁５１の撓み、あるいは位置ズレを防止するので、端子金具１０の係止力をより高めることができる。
【実施例２】
【００５５】
次に、図２１−図２５を用いて本発明の実施例２に係る端子金具の係止構造２、バルブソケット３００および照明装置４００について説明する。
図２１は、本発明の実施例２に係る照明装置４００の分解斜視図である。図２２は、図（ａ）が図２１に示す照明装置４００に透過レンズ６０を取り付ける前の状態を光漏れ防止カバー９０側から視た正面図であり、図（ｂ）が図（ａ）を矢印方向から視た図である。図２３は、図（ａ）が図２２に示す照明装置４００のＥ−Ｅ線断面図であり、図（ｂ）が図（ａ）の規制壁５１周辺を拡大した図である。図２４は、図（ａ）が図２２に示す照明装置のＦ−Ｆ線断面図であり、図（ｂ）が図（ａ）の規制壁５１周辺を拡大した図である。図２５は、図（ａ）が図２１に示す光漏れ防止カバー９０の上面図であり、図（ｂ）が図（ａ）に示す光漏れ防止カバー９０のＧ−Ｇ線断面図である。
本発明の実施例１に係る端子金具の係止構造１、バルブソケット１００および照明装置２００は、規制部材５０が光漏れ防止カバー７０と別体であるものを例示したが、本発明の実施例２に係る端子金具の係止構造２、バルブソケット３００および照明装置４００は、実施例１に示す規制部材５０を光漏れ防止カバー９０に一体的に設けている点で異なる。
なお、その他の構成は実施例１と同様であり、実施例１と同一構成部分には同一符号を付している。
【００５６】
端子金具の係止構造２は、光漏れ防止カバー９０自体が規制部材の機能を有し、この光漏れ防止カバー９０が端子金具１０を挿入されたソケット本体２０に取り付けることによって、図２３および図２４に示すように、規制壁５１が係止位置の端子金具１０とカバー係止部２３との間、かつ、係止突起部１５よりも端子金具１０の離脱方向側に位置するようになっている。
【００５７】
また、端子金具１０を端子保持収容部３０内に挿入する際、端子金具１０がガイド空間３２内を移動することによって端子保持収容部３０の内壁面３１ａが係止突起部１５に接触しないようになっている。
このため、端子金具１０は係止突起部１５を弾性変形することなく係止位置まで移動することができる。
【００５８】
本発明の実施例２に係る端子金具の係止構造２、バルブソケット３００および照明装置４００は、実施例１の端子金具の係止構造１、バルブソケット１００および照明装置２００と同様な効果を奏するとともに、照明装置４００は規制部材５０を光漏れ防止カバー９０に一体的に設けることによって部品点数を削減することができるので、組み付け作業を容易にすることができる。
【００５９】
なお、本発明の実施例１、２に係る端子金具の係止構造１、２は、バルブソケット１００、３００および照明装置２００、４００に組み込むものを例示したが、これに限らず、その他の部品、あるいは装置に組み込むようにしても構わない。例えば、コネクタに組み込むようにしてもよい。
【００６０】
また、本発明の実施例１、２に係る端子金具の係止構造１、２は、端子金具１０の係止突起部１５が爪状に切り起こしてなるものを例示したが、これに限らず、突状に設けていればその他の形状であっても構わない。
【００６１】
また、本発明の実施例１、２に係る端子金具の係止構造は、規制壁５１が係止位置の端子金具１０とカバー係止部２３との間に位置するようになっているものを例示したが、これに限らず、端子金具１０が端子保持収容部３０から離脱する方向に移動した場合、係止突起部１５が規制壁５１に当接して離脱を阻止することができればよい。すなわち、規制壁５１より外方側にカバー係止部２１の内壁面２３ｂが位置していなくても、規制壁５１が係止突起部１５より端子金具１０の離脱方向側に位置して、端子金具１０が端子保持収容部３０から離脱する方向に移動した場合に当接するようになっていればよい。
【００６２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６３】
１、２      端子金具の係止構造
１０        端子金具
１１        固定部
１２        延長部
１３        圧入部
１３ａ      位置決め突起
１４        端子部
１４ａ      ばね部
１４ｂ      接点部
１５      係止突起部
２０      ソケット本体
２１      挿入孔
２１ａ    開口
２３      カバー係止部
２３ａ    突出ガイド側縁部
２３ｂ、３１ａ    内壁面
２４      レンズ係合部
３０      端子保持収容部
３０ａ    壁
３１ｂ    切り込み開口
３２      ガイド空間
３２ａ    拡大隙間空間
３３      端子圧入保持部
３４      圧入溝部
３４ａ    圧入溝
４０      規制部材保持部
４１      対向壁
５０      規制部材
５１      規制壁
５２      連結部
６０      透過レンズ
６１      レンズ本体
６２      第一取付部
６２ａ    係止片
６２ｂ    第一係合部
６３      第二取付部
６３ａ    ロック部
６３ｂ    第二係合部
７０、９０  光漏れ防止カバー
７１      カバー本体部
７２      端面部
７３      フランジ部
７３ａ    レンズ係合部
７４      被係止部
７４ａ    ガイド溝部
８０      バルブ
８１      発光部
８２      電極部
１００、３００  バルブソケット
２００、４００  照明装置
【図１】
2015115163.tif 000003
【図２】
2015115163.tif 000004
【図３】
2015115163.tif 000005
【図４】
2015115163.tif 000006
【図５】
2015115163.tif 000007
【図６】
2015115163.tif 000008
【図７】
2015115163.tif 000009
【図８】
2015115163.tif 000010
【図９】
2015115163.tif 000011
【図１０】
2015115163.tif 000012
【図１１】
2015115163.tif 000013
【図１２】
2015115163.tif 000014
【図１３】
2015115163.tif 000015
【図１４】
2015115163.tif 000016
【図１５】
2015115163.tif 000017
【図１６】
2015115163.tif 000018
【図１７】
2015115163.tif 000019
【図１８】
2015115163.tif 000020
【図１９】
2015115163.tif 000021
【図２０】
2015115163.tif 000022
【図２１】
2015115163.tif 000023
【図２２】
2015115163.tif 000024
【図２３】
2015115163.tif 000025
【図２４】
2015115163.tif 000026
【図２５】
2015115163.tif 000027